(57)【特許請求の範囲】
【請求項１】
可燃性または微燃性冷媒を用いた冷媒回路の一部を構成する冷凍サイクル装置のユニット装置であって、
装置本体と、収納箱と、を備え、
前記収納箱は、冷媒の漏洩を検知するセンサと、前記装置本体内部に連通する連通部と、を有し、
前記収納箱は、前記装置本体の外側の外壁部に取り付けられて前記装置本体で漏洩した冷媒を溜め込んで前記収納箱の外部への流出を防止し、
前記装置本体内部に、結露水を受けるドレンパンを備え、
前記ドレンパンは、ドレン水の自然排出口を有し、
前記自然排出口は、前記連通部を介して前記収納箱内部に連通する冷凍サイクル装置のユニット装置。
【請求項２】
前記装置本体内部と前記連通部を介して前記収納箱内部とを連通するソケットを備えた請求項１に記載の冷凍サイクル装置のユニット装置。
【請求項３】
可燃性または微燃性冷媒を用いた冷媒回路の一部を構成する冷凍サイクル装置のユニット装置であって、
装置本体と、収納箱と、を備え、
前記収納箱は、冷媒の漏洩を検知するセンサと、前記装置本体内部に連通する連通部と、を有し、
前記収納箱は、前記装置本体の外側の外壁部に取り付けられ、
前記装置本体内部に、結露水を受けるドレンパンを備え、
前記ドレンパンは、ドレン水の自然排出口を有し、
前記自然排出口は、前記連通部を介して前記収納箱内部に連通し、
前記装置本体内部と前記連通部を介して前記収納箱内部とを連通するソケットを備え、
前記ソケットは、前記自然排出口に接続され、前記装置本体内部で開口した横管部と、前記横管部を前記収納箱内部に延出した端部から上方に屈曲して延出され、上方に開口した縦管部と、からなるＬ字状ソケットである冷凍サイクル装置のユニット装置。
【請求項４】
前記Ｌ字状ソケットの前記縦管部の上端部は、ドレンポンプがドレン水を吸い込める運転水位よりも高く、かつ、前記ドレンパンの壁部の上端部よりも低い高さである請求項３に記載の冷凍サイクル装置のユニット装置。
【請求項５】
可燃性または微燃性冷媒を用いた冷媒回路の一部を構成する冷凍サイクル装置のユニット装置であって、
装置本体と、収納箱と、を備え、
前記収納箱は、冷媒の漏洩を検知するセンサと、前記装置本体内部に連通する連通部と、を有し、
前記収納箱は、前記装置本体の外側の外壁部に取り付けられ、
前記装置本体内部に、結露水を受けるドレンパンを備え、
前記ドレンパンは、ドレン水の自然排出口および通風口を有し、
前記自然排出口は、前記連通部を介して前記収納箱内部に連通し、
前記通風口は、前記連通部を介して前記収納箱内部に連通し、
前記通風口は、ドレンポンプがドレン水を吸い込める運転水位よりも高く、かつ、前記ドレンパンの壁部の上端部よりも低い位置に設けられた冷凍サイクル装置のユニット装置。
【請求項６】
前記ドレンパンは、前記収納箱内部に突き出て、前記装置本体内部と前記連通部を介して前記収納箱内部とを連通する流通路を有した請求項１に記載の冷凍サイクル装置のユニット装置。
【請求項７】
前記装置本体内部と前記収納箱内部との空間部を連通する風路を有し、
前記風路は、前記連通部を介して前記収納箱内部に連通する請求項１に記載の冷凍サイクル装置のユニット装置。
【請求項８】
前記冷凍サイクル装置のユニット装置は、前記装置本体内部に、熱交換器と、前記熱交換器に冷媒を流通させる冷媒配管と、前記熱交換器への空気を送風する送風ファンと、を備えた空気調和装置の室内機である請求項１〜７のいずれか１項に記載の冷凍サイクル装置のユニット装置。
【請求項９】
前記空気調和装置の室内機は、室内天面に取り付ける天面取付式の天井設置型である請求項８に記載の冷凍サイクル装置のユニット装置。
【発明の詳細な説明】
【技術分野】
【０００１】
本発明は、可燃性または微燃性冷媒を用いた冷媒回路の一部を構成し、冷媒漏洩を検知するセンサを有した冷凍サイクル装置のユニット装置に関する。
【背景技術】
【０００２】
近年、地球温暖化現象あるいはオゾン層破壊などの環境問題の対策として、冷凍サイクル装置に用いられる冷媒は、Ｒ３２などの代替フロンガスの冷媒に移行される傾向がある。しかし、環境問題の対策として用いる冷媒は、可燃性または微燃性である。このため、この冷媒がユニット装置の外部に流出すると、冷媒が発火し、火災のおそれがある。【０００３】
従来の冷凍サイクル装置のユニット装置は、冷媒の漏洩を検知するセンサをドレンパン近傍に備えている。センサによりユニット装置内での冷媒漏れが検知されると、冷凍サイクル装置の運転が停止され、火災が未然に回避される（たとえば、特許文献１参照）。
【先行技術文献】
【特許文献】
【０００４】
【特許文献１】特開２００２−９８３４６号公報
【発明の概要】
【発明が解決しようとする課題】
【０００５】
特許文献１に開示されるように、冷媒を検知するセンサは、冷凍サイクル装置のユニット装置内部に必ず取り付けられていた。このため、冷凍サイクル装置のユニット装置は、新規開発時から冷媒を検知するセンサの配置スペースをユニット装置内部に設計することが前提であった。【０００６】
また、不燃性のフロンガスを用いる既存の冷凍サイクル装置のユニット装置において、冷媒を代替フロンガスの冷媒に変更したい場合には、可燃性または微燃性冷媒を検知するセンサを取り付ける必要がある。しかし、既存の冷凍サイクル装置のユニット装置には、冷媒を検知するセンサの配置スペースが無く、ユニット装置の大きな改造が必要であった。【０００７】
可燃性または微燃性冷媒は、比重が空気より大きい。このため、冷媒を検知するセンサを冷媒の漏洩が発生する冷媒配管の下方に配置する必要がある。しかし、冷凍サイクル装置を運転する過程で発生する結露水などの水滴がセンサに付着し、センサが故障するおそれがある。【０００８】
本発明は、上記課題を解決するためのものであり、装置本体内部の冷媒を検知するセンサの配置スペースが不要になり、現行の設計構造そのままの装置本体を用いつつ冷媒を検知するセンサが取り付けられる冷凍サイクル装置のユニット装置を提供することを目的とする。
【課題を解決するための手段】
【０００９】
本発明に係る冷凍サイクル装置のユニット装置は、可燃性または微燃性冷媒を用いた冷媒回路の一部を構成する冷凍サイクル装置のユニット装置であって、装置本体と、収納箱と、を備え、前記収納箱は、冷媒の漏洩を検知するセンサと、前記装置本体内部に連通する連通部と、を有し、前記収納箱は、前記装置本体の外側の外壁部に取り付けられて前記装置本体で漏洩した冷媒を溜め込んで前記収納箱の外部への流出を防止し、前記装置本体内部に、結露水を受けるドレンパンを備え、前記ドレンパンは、ドレン水の自然排出口を有し、前記自然排出口は、前記連通部を介して前記収納箱内部に連通するものである。
【発明の効果】
【００１０】
本発明に係る冷凍サイクル装置のユニット装置によれば、収納箱は、装置本体の外側の外壁部に取り付けられた。したがって、装置本体内部の冷媒を検知するセンサの配置スペースが不要になり、現行の設計構造そのままの装置本体を用いつつ冷媒を検知するセンサが取り付けられる。
【図面の簡単な説明】
【００１１】
【図１】本発明の実施の形態１に係る空気調和装置を示す概略構成図である。
【図２】本発明の実施の形態１に係る空気調和装置の室内機を示す斜視図である。
【図３】本発明の実施の形態１に係る空気調和装置の室内機を図２のＡ−Ａ断面で示す縦断面図である。
【図４】本発明の実施の形態１に係るドレンパンを示す斜視図である。
【図５】本発明の実施の形態１に係る空気調和装置の室内機における自然排出口の部分を拡大して示す縦断面図である。
【図６】本発明の実施の形態１に係る収納箱を内部構成と共に示す斜視図である。
【図７】本発明の実施の形態１に係るドレンパンとドレンポンプとフロートスイッチとをそれらの高さ関係と共に示す斜視図である。
【図８】本発明の実施の形態１に係る装置本体と収納箱とを収納箱周辺にて示す縦断面図である。
【図９】本発明の実施の形態２に係るドレンパンを示す斜視図である。
【図１０】本発明の実施の形態２に係る装置本体と収納箱とを収納箱周辺にて示す縦断面図である。
【図１１】本発明の実施の形態３の構成例１に係る装置本体と収納箱とを収納箱周辺にて示す縦断面図である。
【図１２】本発明の実施の形態３の構成例２に係る装置本体と収納箱とを収納箱周辺にて示す縦断面図である。
【図１３】本発明の実施の形態３の構成例３に係る装置本体と収納箱とを収納箱周辺にて示す縦断面図である。
【図１４】本発明の実施の形態４に係る装置本体と収納箱とを収納箱周辺にて示す縦断面図である。
【発明を実施するための形態】
【００１２】
以下、図面に基づいて本発明の実施の形態について説明する。なお、各図において、同一の符号を付したものは、同一のまたはこれに相当するものであり、これは明細書の全文において共通している。さらに、明細書全文に示す構成要素の形態は、あくまで例示であってこれらの記載に限定されるものではない。
【００１３】
実施の形態１．
＜空気調和装置１００の構成＞
図１は、本発明の実施の形態１に係る空気調和装置１００を示す概略構成図である。図１に示すように、空気調和装置１００は、室外機８と室内機９とを配管によって接続されて構成されている。
【００１４】
室外機８と室内機９とを接続する配管内には、熱の授受を行うための冷媒が充填されている。冷媒は、室外機８と室内機９との間を循環することにより、室内機９の配置された空間に対して冷房または暖房を実施できる。冷媒の種類としては、Ｒ３２などの代替フロンガスである可燃性または微燃性冷媒などが例示できる。
【００１５】
室外機８は、圧縮機１と、室外熱交換器３と、膨張弁４と、四方弁２と、室外送風ファン６と、を備えている。室内機９は、熱交換器である室内熱交換器５と、室内用の送風ファンであるシロッコファン７と、を備えている。
【００１６】
＜空気調和装置１００の室内機９の構成＞
図２は、本発明の実施の形態１に係る空気調和装置１００の室内機９を示す斜視図である。図２に示すように、空気調和装置１００の室内機９は、室内の天面に取り付ける天面取付式の天井設置型の室内機である。空気調和装置１００の室内機９は、装置本体１０と、収納箱２０と、を備えている。
【００１７】
図２に示すように、装置本体１０は、横長の直方体形状である。装置本体１０には、後方の側面全体に、吸込口１１が形成されている。装置本体１０には、前方の側面に、前方の側面全体よりも一回り小さく吹出口１２が形成されている。
【００１８】
図２に示すように、収納箱２０は、装置本体１０の図示奥側側面にて、装置本体１０の外側の外壁部に取り付けられている。
【００１９】
＜装置本体１０の構成＞
図３は、本発明の実施の形態１に係る空気調和装置１００の室内機９を図２のＡ−Ａ断面で示す縦断面図である。図４は、本発明の実施の形態１に係るドレンパン１３を示す斜視図である。
【００２０】
図３に示すように、装置本体１０は、室内熱交換器５と、シロッコファン７と、ドレンパン１３と、を備えている。また、後述の図７に示すように、装置本体１０は、ドレンポンプ１４と、フロートスイッチ１５と、を備えている。
【００２１】
図３に示すように、室内熱交換器５は、厚みの薄い平板状である。室内熱交換器５は、装置本体１０内部における吹出口１２近傍の上部の支持部１０ａと、装置本体１０内部における下部のドレンパン１３の土手部１３ａと、に挟持されている。そのため、室内熱交換器５は、装置本体１０内部にて、前方側を上方に持ち上げられ、後方側を下方に載置された縦断面で平板面を斜めに傾けた状態で配置されている。室内熱交換器５には、図示しない冷媒配管が接続されている。室内熱交換器５は、冷媒配管を流通する冷媒と装置本体１０内部を流通する空気とを熱交換する。冷媒配管は、室外機８から室内熱交換器５に冷媒を流通させる。
【００２２】
図３に示すように、シロッコファン７は、装置本体１０内部における室内熱交換器５よりも後方側に、室内熱交換器５に対して水平方向で並列に配置されている。シロッコファン７は、室内空気を取り込んだ吸込口１１から室内熱交換器５へ空気を送風する。室内熱交換器５に供給された空気は、冷媒配管を流通して室内熱交換器５内を流通する冷媒と熱交換する。室内熱交換器５で熱交換した調和空気は、前方の吹出口１２から送り出される。
【００２３】
図３に示すように、ドレンパン１３は、装置本体１０内部における最下部に配置されている。ドレンパン１３は、室内熱交換器５と、図示しない冷媒配管と、の下方投影領域に広がって配置されている。ドレンパン１３は、室内熱交換器５あるいは冷媒配管を通過する冷媒により急激に空気が冷却されたときの結露による結露水を受ける。
【００２４】
図４に示すように、ドレンパン１３は、四方端部の各辺に壁部１３ｂを有している。ドレンパン１３は、結露水を受けて溜まったドレン水を装置本体１０から外部に排出する自然排出口１３ｃを有している。なお、自然排出口１３ｃの位置は、図４では紙面手前側であるが、図２では紙面奥側の収納箱２０近傍である。室内熱交換器５あるいは冷媒配管にて生成された結露水は、ドレンパン１３の受け面１３ｄに滴下され、ドレン水として回収される。ここで、ドレンパン１３の受け面１３ｄには、自然排出口１３ｃを最下部位置にする勾配が設けられている。これにより、ドレンパン１３のいずれの位置に結露水が滴下されても、ドレンパン１３が受けた結露水は、ドレン水となって最終的に自然排出口１３ｃに到達し、自然に排出される。
【００２５】
図５は、本発明の実施の形態１に係る空気調和装置１００の室内機９における自然排出口１３ｃの部分を拡大して示す縦断面図である。図５に示すように、自然排出口１３ｃは、ドレンパン１３の受け面１３ｄに最下部を有している。なお、図５では、後述するＬ字状ソケット２２が自然排出口１３ｃに取り付けられたことを破線で示している。
【００２６】
＜収納箱２０の構成＞
図６は、本発明の実施の形態１に係る収納箱２０を内部構成と共に示す斜視図である。図６に示すように、収納箱２０は、センサ２１と、Ｌ字状ソケット２２と、を有している。
【００２７】
図６に示すように、収納箱２０には、装置本体１０の外側の外壁部に取り付けられる部分に、壁の無い連通部としての開口部２３が形成されている。収納箱２０は、開口部２３の周りを装置本体１０の外側の外壁部に密着固定されている。収納箱２０は、装置本体１０で漏洩した冷媒を溜め込む。これにより、収納箱２０に溜め込まれた冷媒は、収納箱２０の外部への流出を防止される。また、センサ２１による冷媒の検知精度が向上されている。
【００２８】
センサ２１は、装置本体１０から漏洩する冷媒を検知する。センサ２１は、収納箱２０の開口部２３に対して対向した収納箱２０の奥側の側壁部に取り付けられている。開口部２３は、装置本体１０内部に連通している。このため、センサ２１には、開口部２３を介して装置本体１０から漏洩する冷媒が流通して来る。
【００２９】
Ｌ字状ソケット２２は、管部材であり、装置本体１０内部と開口部２３を介して収納箱２０内部とを連通する。Ｌ字状ソケット２２は、横管部２２ａと、縦管部２２ｂと、からなる。横管部２２ａは、自然排出口１３ｃから装置本体１０内部に延出され、装置本体１０内部で開口している。縦管部２２ｂは、横管部２２ａを収納箱２０内部に延出した端部から上方に屈曲して延出され、上方に開口している。
【００３０】
＜ドレンパン１３とドレンポンプ１４とフロートスイッチ１５との高さ関係＞
図７は、本発明の実施の形態１に係るドレンパン１３とドレンポンプ１４とフロートスイッチ１５とをそれらの高さ関係と共に示す斜視図である。図７に示すように、装置本体１０は、ドレンポンプ１４と、フロートスイッチ１５と、を備えている。
【００３１】
図７に示すように、ドレンポンプ１４は、ドレンパン１３の上方に配置されている。ドレンポンプ１４は、空気調和装置１００の運転により、ドレンパン１３に溜まるドレン水を吸い上げ、装置本体１０の外部に排出する。
【００３２】
図７に示すように、フロートスイッチ１５は、ドレンポンプ１４の一部として備えられている。フロートスイッチ１５は、ドレンパン１３に溜まったドレン水の水位がある一定値である検知水位１６となることを検知する。フロートスイッチ１５が検知水位１６を検知すると、空気調和装置１００は、運転を停止する。
【００３３】
図７に示すように、空気調和装置１００の運転時には、ドレンポンプ１４がドレン水を吸い込める運転水位１７までドレン水がドレンパン１３上に溜まっている。フロートスイッチ１５は、ドレンポンプ１４の不具合などで空気調和装置１００の運転中のドレン水の水位が上昇し、ドレン水がドレンパン１３からあふれることを防止する。なお、実施の形態１では、ドレンポンプ１４が備えられているが、ドレンパン１３には既存の自然排出口１３ｃが設けられている。自然排出口１３ｃを有したドレンパン１３を用いることにより、ドレンポンプ１４の有無にかかわらず部品を共通化でき、製造コストが低減できる。
【００３４】
＜Ｌ字状ソケット２２の詳細＞
図８は、本発明の実施の形態１に係る装置本体１０と収納箱２０とを収納箱２０周辺にて示す縦断面図である。図８に示すように、収納箱２０は、装置本体１０から漏洩した冷媒を溜め込む位置となる、装置本体１０の側方における外側の外壁部１０ｂに取り付けられている。Ｌ字状ソケット２２は、ドレンパン１３の自然排出口１３ｃに横管部２２ａの開口部を接続している。これにより、Ｌ字状ソケット２２は、装置本体１０から漏洩した冷媒を収納箱２０内部に導く流路の役割を果たす。つまり、自然排出口１３ｃは、開口部２３を介して収納箱２０内部に連通している。収納箱２０内部には、Ｌ字状ソケット２２を流通した冷媒を検知するセンサ２１が配置されている。
【００３５】
冷媒は、空気より比重が大きい。このため、冷媒配管などから漏洩した冷媒は、装置本体１０の下部に配置されたドレンパン１３に降下して集まる。実施の形態１では、ドレンパン１３の自然排出口１３ｃに筒状のＬ字状ソケット２２を取り付けて冷媒の流路を作っている。これにより、装置本体１０で漏洩した冷媒は、Ｌ字状ソケット２２を流通して収納箱２０内部に溜められて行く。そして、センサ２１は、収納箱２０内部の冷媒を検知する。その結果、冷媒配管などから冷媒が漏洩したことが判別できる。
【００３６】
Ｌ字状ソケット２２の形状は、室内熱交換器５または冷媒配管から発生する凝縮水量と、ドレンパン１３の形状と、フロートスイッチ１５の検知水位１６と、の関係に基づいて決定する。なお、Ｌ字状ソケット２２が無い場合には、自然排出口１３ｃからドレン水が装置本体１０の外部に取り付けられた収納箱２０内部に溜まり続けてしまい、センサ２１にも付着してしまう。しかし、実施の形態１のように、Ｌ字状ソケット２２が配置されることにより、Ｌ字状ソケット２２の縦管部２２ｂがドレン水の運転水位１７に対して漏れ防止の壁の役割を果たす。これにより、空気調和装置１００の運転時にドレンパン１３に溜まるドレン水は、運転水位１７で室内機９外部にあふれない。また、ドレンパン１３に溜まるドレン水は、自然排出口１３ｃから収納箱２０内部に直接排水されず、センサ２１に付着しない。
【００３７】
図８に示すように、Ｌ字状ソケット２２の縦管部２２ｂの上端部の高さ２２ｂ１は、ドレンポンプ１４がドレン水を吸い込める運転水位１７よりも高く、より好ましくはフロートスイッチ１５の検知水位１６より高く、かつ、ドレンパン１３の壁部１３ｂの高さ１３ｂ１より低い位置に設定される。フロートスイッチ１５の検知水位１６以上にドレンパン１３にドレン水が溜まると、空気調和装置１００の運転が停止する。そのため、フロートスイッチ１５の検知水位１６よりＬ字状ソケット２２の縦管部２２ｂの上端部の高さ２２ｂ１が高いと、ドレンパン１３に溜まったドレン水がＬ字状ソケット２２の縦管部２２ｂの上端部を越えて収納箱２０内部に流入せず、ドレン水がセンサ２１に付着しない。
【００３８】
図８に示すように、Ｌ字状ソケット２２の縦管部２２ｂの上端部の高さ２２ｂ１は、ドレンパン１３の壁部１３ｂの高さ１３ｂ１より低い位置に設定される。その結果、冷媒配管などから漏洩してドレンパン１３に溜まった冷媒は、ドレンパン１３からあふれる前に、Ｌ字状ソケット２２を流通して収納箱２０内部に溜まり、センサ２１によって検知できる。
【００３９】
＜実施の形態１の効果＞
実施の形態１によれば、冷凍サイクル装置のユニット装置である室内機９は、可燃性または微燃性冷媒を用いた冷媒回路の一部を構成している。室内機９は、ユニット装置である室内機９の装置本体１０を備えている。室内機９は、収納箱２０を備えている。収納箱２０は、冷媒の漏洩を検知するセンサ２１を有している。収納箱２０は、装置本体１０内部に連通する連通部としての開口部２３を有している。収納箱２０は、装置本体１０の外側の外壁部１０ｂに取り付けられている。
【００４０】
この構成によれば、冷媒の漏洩を検知するセンサ２１は、装置本体１０の外側の外壁部１０ｂに取り付けられた収納箱２０内部に設けられている。したがって、装置本体１０内部の冷媒を検知するセンサ２１の配置スペースが不要になり、現行の設計構造そのままの装置本体１０を用いつつ冷媒を検知するセンサ２１が取り付けられる。また、センサ２１は、収納箱２０内部に設けられ、装置本体１０内部に発生する凝縮水などの水滴の付着がない。そのため、水滴の付着に起因するセンサ２１の故障が防げる。また、センサ２１は、収納箱２０内部に設けられ、装置本体１０に対して外付けされる。そのため、センサ２１のメンテナンスが容易になる。たとえば、作業者がセンサ２１を交換する場合には、収納箱２０を取り外すだけの作業で済み、作業効率が良い。なお、収納箱２０は、開口部２３でない連通部を有しても良い。たとえば、収納箱は、連通部として収納箱の側壁部に孔を形成して設けられても良い。
【００４１】
実施の形態１によれば、室内機９は、装置本体１０内部に、結露水を受けるドレンパン１３を備えている。ドレンパン１３は、ドレン水の自然排出口１３ｃを有している。自然排出口１３ｃは、開口部２３を介して収納箱２０内部に連通している。
【００４２】
この構成によれば、ドレンパン１３に設けられた既存の自然排出口１３ｃは、収納箱２０内部への漏洩する冷媒の入口部に用いられる。そのため、自然排出口１３ｃを有した現行の設計構造そのままの装置本体１０は、より有効に用いられる。
【００４３】
実施の形態１によれば、室内機９は、装置本体１０内部と開口部２３を介して収納箱２０内部とを連通するソケットとしてのＬ字状ソケット２２を備えている。
【００４４】
この構成によれば、ソケットとしてのＬ字状ソケット２２は、装置本体１０内部と収納箱２０内部とを連通する。これにより、Ｌ字状ソケット２２は、センサ２１に装置本体１０から漏洩する冷媒を流通させられる。
【００４５】
実施の形態１によれば、ソケットとしてのＬ字状ソケット２２は、自然排出口１３ｃに接続され、装置本体１０内部で開口した横管部２２ａと、横管部２２ａを収納箱２０内部に延出した端部から上方に屈曲して延出され、上方に開口した縦管部２２ｂと、からなるＬ字状ソケット２２である。縦管部２２ｂの上端部は、ドレンポンプ１４がドレン水を吸い込める運転水位１７よりも高く、かつ、ドレンパン１３の壁部１３ｂの上端部よりも低い高さ２２ｂ１である。
【００４６】
この構成によれば、Ｌ字状ソケット２２は、自然排出口１３ｃを通じて装置本体１０内部と収納箱２０内部とを連通する。これにより、Ｌ字状ソケット２２は、センサ２１に装置本体１０から漏洩する冷媒を自然排出口１３ｃに溜まったドレン水上で流通させられる。そのため、ドレンパン１３で受けたドレン水上に漏洩した冷媒がセンサ２１によってより早期に検知できる。さらに、縦管部２２ｂの上端部がドレンポンプ１４がドレン水を吸い込める運転水位１７よりも高い位置にあるため、空気調和装置１００の運転時にドレンパン１３に溜まるドレン水は、運転水位１７でドレンパン１３からあふれない。また、ドレンパン１３上にドレン水が運転水位１７にある状態で、冷媒配管などから漏洩した冷媒がドレン水上からＬ字状ソケット２２を流通して収納箱２０内部に流入し、センサ２１によって検知できる。その結果、冷媒配管などから漏洩してドレンパン１３に溜まった冷媒は、ドレンパン１３からあふれる前に、センサ２１によって検知できる。なお、ソケットは、Ｌ字状ソケット２２に限られない。ソケットは、装置本体１０内部と収納箱２０内部とを連通するものであれば良い。
【００４７】
実施の形態１によれば、室内機９は、装置本体１０内部に、室内熱交換器５と、室内熱交換器５に冷媒を流通させる冷媒配管と、室内熱交換器５への空気を送風するシロッコファン７と、を備えた空気調和装置１００の室内機である。
【００４８】
この構成によれば、空気調和装置１００の室内機９は、装置本体１０内部の冷媒を検知するセンサ２１の配置スペースが不要になり、現行の設計構造そのままの装置本体１０を用いつつ冷媒を検知するセンサ２１が取り付けられる。
【００４９】
実施の形態１によれば、室内機９は、室内天面に取り付ける天面取付式の天井設置型である。
【００５０】
この構成によれば、天面取付式の天井設置型である空気調和装置１００の室内機９は、装置本体１０内部の冷媒を検知するセンサ２１の配置スペースが不要になり、現行の設計構造そのままの装置本体１０を用いつつ冷媒を検知するセンサ２１が取り付けられる。その結果、漏洩した冷媒は、室内空間に落下しつつ飛散する前に、センサ２１により検知できる。
【００５１】
実施の形態２．
図９は、本発明の実施の形態２に係るドレンパン１３を示す斜視図である。図１０は、本発明の実施の形態２に係る装置本体１０と収納箱２０とを収納箱２０周辺にて示す縦断面図である。実施の形態２では、上記実施の形態の同一の説明を省略し、特徴部分だけを説明する。
【００５２】
図９に示すように、ドレンパンには、排水口とは異なる通風口１３ｅが形成されている。上記実施の形態のような自然排出口１３ｃが無い場合、もしくは、自然排出口１３ｃが現地配管に接続されている場合には、ドレンパン１３の壁部１３ｂに排水を目的としない通風口１３ｅが設けられる。これにより、冷媒配管などから漏洩してドレンパン１３に溜まった冷媒が通風口１３ｅを介して収納箱２０内部に流通する。つまり、通風口１３ｅは、開口部２３を介して収納箱２０内部に連通している。このため、センサ２１は、通風口１３ｅを介して収納箱２０内部に流入した冷媒を検知できる。
【００５３】
図１０に示すように、ドレンパン１３の壁部１３ｂに形成された通風口１３ｅには、筒状のソケット２４が取り付けられている。上記実施の形態と同様に、冷媒配管から漏洩した冷媒がドレンパン１３に溜まり、ソケット２４を流通し、センサ２１によって検知される。
【００５４】
図１０に示すように、ドレンパン１３の壁部１３ｂに形成される通風口１３ｅは、ドレンポンプ１４がドレン水を吸い込める運転水位１７より高く、より好ましくはフロートスイッチ１５の検知水位１６より高く、かつ、ドレンパン１３の壁部１３ｂの上端部よりも低い位置である。
【００５５】
また、筒状のソケット２４は、簡易かつ小さな寸法に構成できる。ソケット２４が小さな寸法で構成されることにより、ソケット２４の収納箱２０内部に突出した端部２４ａとセンサ２１との距離が縮まる。この距離が縮まることにより、ソケット２４を流通した冷媒がセンサ２１によって素早く検知できる。
【００５６】
＜実施の形態２の効果＞
実施の形態２によれば、室内機９は、装置本体１０内部に、結露水を受けるドレンパン１３を備えている。ドレンパン１３は、通風口１３ｅを有している。通風口１３ｅは、開口部２３を介して収納箱２０内部に連通している。通風口１３ｅは、ドレンポンプ１４がドレン水を吸い込める運転水位１７よりも高く、かつ、ドレンパン１３の壁部１３ｂの上端部よりも低い位置に設けられている。
【００５７】
この構成によれば、通風口１３ｅは、ドレンパン１３に設けられた収納箱２０内部への漏洩する冷媒の入口部に用いられる。そのため、通風口１３ｅを形成した現行の設計構造そのままの装置本体１０は、より有効に用いられる。また、空気調和装置１００の運転時にドレンパン１３に溜まるドレン水は、ドレンポンプ１４がドレン水を吸い込める運転水位１７でドレンパン１３からあふれない。そして、ドレンパン１３上にドレン水が運転水位１７にある状態で、冷媒配管などから漏洩した冷媒がドレン水上から通風口１３ｅとソケット２４とを流通して収納箱２０内部に流入し、センサ２１によって検知できる。その結果、冷媒配管などから漏洩してドレンパン１３に溜まった冷媒は、ドレンパン１３からあふれる前に、センサ２１によって検知できる。
【００５８】
実施の形態３．
＜構成例１＞
図１１は、本発明の実施の形態３の構成例１に係る装置本体１０と収納箱２０とを収納箱２０周辺にて示す縦断面図である。実施の形態３の構成例１では、上記実施の形態の同一の説明を省略し、特徴部分だけを説明する。
【００５９】
図１１に示すように、ドレンパン１３は、収納箱２０内部に突き出て、装置本体１０内部と連通部としての開口部２３を介して収納箱２０内部とを連通する流通路１３ｆを有している。流通路１３ｆは、管状部であり、ドレンパン１３と一体成型されている。
【００６０】
図１１に示すように、ドレンパン１３の壁部１３ｂから突き出て形成される流通路１３ｆは、ドレンポンプ１４がドレン水を吸い込める運転水位１７より高く、より好ましくはフロートスイッチ１５の検知水位１６より高く、かつ、ドレンパン１３の壁部１３ｂの上端部よりも低い位置に設けられている。
【００６１】
流通路１３ｆは、ドレンパン１３のドレン水上の冷媒がセンサ２１に直接流れるように設けられる。これにより、流通路１３ｆの出口部とセンサ２１との距離が接近し、冷媒漏洩が早急に検知できる。また、流通路１３ｆは、装置本体１０内部に配置された図示しない電気品箱から遠ざけて設けられる。これにより、流通路１３ｆを流通する冷媒が電気品箱から遠ざかり、可燃性または微燃性冷媒を発火させてしまう危険が防止できる。
【００６２】
＜構成例２＞
図１２は、本発明の実施の形態３の構成例２に係る装置本体１０と収納箱２０とを収納箱２０周辺にて示す縦断面図である。実施の形態３の構成例２では、上記実施の形態の同一の説明を省略し、特徴部分だけを説明する。
【００６３】
冷媒を流通させる流通路１３ｆは、形状を変えることにより特徴が変わる。たとえば、図１２に示すように、流通路１３ｆの収納箱２０内部の出口部が下向きに設けられた場合には、冷媒は、空気より重いため、流通路１３ｆの傾斜に沿って図示右下方向に流通し、センサ２１に到達する。このため、冷媒がセンサ２１に到達する時間が早くなる。したがって、冷媒がセンサ２１によって早急に検知できる。
【００６４】
＜構成例３＞
図１３は、本発明の実施の形態３の構成例３に係る装置本体１０と収納箱２０とを収納箱２０周辺にて示す縦断面図である。実施の形態３の構成例３では、上記実施の形態の同一の説明を省略し、特徴部分だけを説明する。
【００６５】
図１３に示すように、流通路１３ｆの収納箱２０内部の出口部が上向きに設けられた場合には、空気調和装置１００の運転により発生する結露水は、ドレンパン１３から流通路１３ｆを伝って収納箱２０内部へ侵入しない。
【００６６】
また、空気調和装置１００の運転時に、シロッコファン７によってドレンパン１３に溜まったドレン水が跳ね上げられる。しかし、収納箱２０の奥へ通じる図示右上方向の上向きの流通路１３ｆが設けられることにより、跳ね上げられたドレン水が収納箱２０内部に侵入しない。
【００６７】
＜実施の形態３の効果＞
実施の形態３によれば、ドレンパン１３は、収納箱２０内部に突き出て、装置本体１０内部と連通部としての開口部２３を介して収納箱２０内部とを連通する流通路１３ｆを有している。
【００６８】
この構成によれば、ドレンパン１３から収納箱２０内部に突き出た流通路１３ｆは、装置本体１０内部と収納箱２０内部とを連通する。これにより、流通路１３ｆは、センサ２１に装置本体１０から漏洩する冷媒を流通させられる。
【００６９】
実施の形態４．
図１４は、本発明の実施の形態４に係る装置本体１０と収納箱２０とを収納箱２０周辺にて示す縦断面図である。実施の形態４では、上記実施の形態の同一の説明を省略し、特徴部分だけを説明する。
【００７０】
図１４に示すように、装置本体１０の収納箱２０の取り付けられた外壁部１０ｂに孔を開けて風路１０ｃが形成されている。風路１０ｃは、装置本体１０内部と収納箱２０内部との空間部を連通する。風路１０ｃは、開口部２３を介して収納箱２０内部に連通している。風路１０ｃの孔の位置は、外壁部１０ｂにおけるドレンパン１３よりも上部である。そして、センサ２１は、風路１０ｃに対して収納箱２０内部の奥に進んだ延長線上に配置する。これにより、冷媒配管などから漏洩した冷媒が装置本体１０内部から風路１０ｃに流入すると、冷媒が検知できる。風路１０ｃから収納箱２０内部の奥に冷媒を乗せて運ぶことは、室内機９のシロッコファン７の力を利用することができる。このため、冷媒漏洩の検知速度が早い。
【００７１】
なお、図１４に示すドレンパン１３の通風口１３ｇは、上記実施の形態における自然排出口１３ｃ、Ｌ字状ソケット２２、ドレンパン１３の壁部１３ｂに設けた通風口１３ｅ、または、ドレンパン１３と一体化された冷媒が流通する流通路１３ｆなどのいずれのものでも良い。
【００７２】
＜実施の形態４の効果＞
実施の形態４によれば、室内機９は、装置本体１０内部と収納箱２０内部との空間部を連通する風路１０ｃを有している。風路１０ｃは、開口部２３を介して収納箱２０内部に連通している。
【００７３】
この構成によれば、風路１０ｃは、装置本体１０内部と収納箱２０内部との空間部を連通する。これにより、風路１０ｃは、収納箱２０内部に配置されたセンサ２１に装置本体１０から漏洩する冷媒を流通させられる。
【００７４】
上記実施の形態では、本発明における収納箱が装置本体の側面を構成する側壁部に取り付けられる構成例を挙げた。しかし、これに限られない。収納箱が装置本体の下面部に取り付けられても良い。たとえば、収納箱が装置本体の下面部に取り付けられ、ドレンパンからあふれた冷媒を検知するものでも良い。
【００７５】
上記実施の形態では、本発明が空気調和装置の室内機に搭載される構成例を挙げた。しかし、これに限られない。たとえば、本発明は、空気調和装置の室外機に搭載される構成であってもよい。また、空気調和装置以外の冷凍装置あるいは給湯器などの冷凍サイクル装置に本発明が適用されてもよい。
【符号の説明】
【００７６】
１  圧縮機、２  四方弁、３  室外熱交換器、４  膨張弁、５  室内熱交換器、６  室外送風ファン、７  シロッコファン、８  室外機、９  室内機、１０  装置本体、１０ａ  支持部、１０ｂ  外壁部、１０ｃ  風路、１１  吸込口、１２  吹出口、１３  ドレンパン、１３ａ  土手部、１３ｂ  壁部、１３ｂ１  高さ、１３ｃ  自然排出口、１３ｄ    受け面、１３ｅ  通風口、１３ｆ  流通路、１３ｇ  通風口、１４  ドレンポンプ、１５  フロートスイッチ、１６  検知水位、１７  運転水位、２０  収納箱、２１  センサ、２２  Ｌ字状ソケット、２２ａ  横管部、２２ｂ  縦管部、２２ｂ１  高さ、２３  開口部、２４  ソケット、２４ａ  端部、１００  空気調和装置。
【図１】
0006771667.tif 000002
【図２】
0006771667.tif 000003
【図３】
0006771667.tif 000004
【図４】
0006771667.tif 000005
【図５】
0006771667.tif 000006
【図６】
0006771667.tif 000007
【図７】
0006771667.tif 000008
【図８】
0006771667.tif 000009
【図９】
0006771667.tif 000010
【図１０】
0006771667.tif 000011
【図１１】
0006771667.tif 000012
【図１２】
0006771667.tif 000013
【図１３】
0006771667.tif 000014
【図１４】
0006771667.tif 000015